(57)【特許請求の範囲】
【請求項１】
被検体の体内画像を表示する画像表示装置において、
被検体の検査データまたはレポートデータに含まれるソフトウェアのバージョンであって、前記被検体の検査データまたはレポートデータを作成または編集したソフトウェアのバージョンを検出するバージョン検出部と、
前記バージョン検出部によって検出された前記被検体の検査データまたはレポートデータに含まれるソフトウェアのバージョンの少なくとも一部分と当該画像表示装置のソフトウェアのバージョンの少なくとも一部分とを比較し、前記被検体の検査データまたはレポートデータに含まれるソフトウェアのバージョンの少なくとも一部分と当該画像表示装置のソフトウェアのバージョンの少なくとも一部分とが一致するか否かに応じて、前記被検体に関するデータの取り扱いを制御する制御部と、
前記被検体の検査データまたはレポートデータに含まれるソフトウェアのバージョンの少なくとも一部分と当該画像表示装置のソフトウェアのバージョンの少なくとも一部分とが一致しない場合、どちらか一方のバージョンが一致しない旨を示す警告情報を出力する出力部と、
を備えたことを特徴とする画像表示装置。
【請求項２】
前記バージョン検出部によって検出された前記被検体の検査データまたはレポートデータに含まれるソフトウェアのバージョンの少なくとも一部分と当該画像表示装置のソフトウェアのバージョンの少なくとも一部分との差異を記憶する記憶部を備えたことを特徴とする請求項１に記載の画像表示装置。
【請求項３】
前記検査データは、少なくとも前記被検体の体内画像を含み、
前記レポートデータは、前記検査データをもとに作成されたものであることを特徴とする請求項１または２に記載の画像表示装置。
【請求項４】
前記検査データは、実施された画像処理の種類およびバージョンの情報を含むことを特徴とする請求項３に記載の画像表示装置。
【請求項５】
画像処理要求を受け付ける入力部を備え、
前記制御部は、当該画像表示装置が有する画像処理機能の種類およびソフトウェアのバージョンの少なくとも一部分と前記検査データに含まれる前記情報とを比較して、前記検査データに対して未実施の画像処理があるか否かを判断し、未実施の画像処理がある場合、前記検査データに対して前記未実施の画像処理を実施するか否かを問い合わせる情報を前記出力部に出力させ、前記入力部によって入力された画像処理要求に基づいて、前記検査データに対して前記未実施の画像処理を実施することを特徴とする請求項４に記載の画像表示装置。
【請求項６】
前記制御部は、前記レポートデータが当該画像表示装置に非対応の項目または当該画像表示装置の許容範囲を超過する文字数の文字データを含む場合、前記レポートデータに表示不可のデータがある旨を示す情報を前記出力部に出力させることを特徴とする請求項３に記載の画像表示装置。
【請求項７】
前記制御部は、当該画像表示装置にログインしたユーザの権限を判断し、この判断したユーザの権限に応じて、前記被検体の検査データまたはレポートデータに含まれるソフトウェアのバージョン更新を許可または禁止することを特徴とする請求項１〜６のいずれか一つに記載の画像表示装置。
【発明の詳細な説明】
【技術分野】
【０００１】
本発明は、被検体の臓器内部の画像（以下、体内画像という場合がある）を表示する画像表示装置に関し、特に、被検体の体内画像に対するコメント等を掲載したレポートの作成機能を備えた画像表示装置に関するものである。
【背景技術】
【０００２】
従来から、カプセル型内視鏡によって撮像された被検体の体内画像を表示する画像表示装置が提案されている。カプセル型内視鏡は、カプセル型の筐体内部に撮像機能と無線通信機能とを備えた経口摂取可能な内視鏡であり、患者等の被検体の消化管内部に導入された後、蠕動運動等によって消化管内部を移動しつつ、この被検体の体内画像を順次撮像し、得られた体内画像を外部に順次無線送信する。かかるカプセル型内視鏡によって撮像された体内画像群は、この被検体の外部に配置された受信装置によって受信され、その後、画像表示装置に取り込まれる。画像表示装置は、このように取り込んだ被検体の体内画像群をディスプレイ上に表示する（例えば、特許文献１参照）。
【０００３】
また、このような画像表示装置には、被検体の体内画像に対するコメント等を掲載したレポートを作成または編集可能なものがある。具体的には、医師または看護師等の医療従事者は、かかる画像表示装置を操作して、ディスプレイ上に被検体の各体内画像を表示させ、表示された各体内画像を順次観察して被検体の診断に要する体内画像を選択する。この場合、医療従事者は、選択した各体内画像または各体内画像グループにラベルまたはコメントを付することによって、後に行う被検体のレポート作成の円滑化を図っている。
【０００４】
かかる医療従事者による操作に対応して、画像表示装置は、医療従事者によって選択された各体内画像をレポート準備画面内にサムネイル表示する。医療従事者は、この画像表示装置のレポート準備画面にサムネイル表示された各体内画像の中からレポートに掲載する体内画像を選択し、さらには、これら各体内画像のうちの関連するものをグループ化する。画像表示装置は、実際に出力するレポートの形式でレポート作成画面を表示し、このレポート作成画面内に、かかる医療従事者によって選択された体内画像または体内画像グループを表示する。医療従事者は、このレポート作成画面内の体内画像に対するコメント等を入力する。画像表示装置は、この入力されたコメントおよびレポート作成画面内の体内画像等を掲載した被検体のレポートを作成、編集する。
【０００５】
【特許文献１】特表２００４−５２１６６２号公報
【発明の開示】
【発明が解決しようとする課題】
【０００６】
ところで、上述した画像表示装置に格納されている画像処理機能およびレポート編集機能の各ソフトウェアのバージョンは、処理対象である体内画像およびレポートの各バージョンと異なっている場合がある。この場合、編集処理前のレポートと編集処理後のレポートとの間において掲載情報の欠落または掲載情報の不整合が生じることがあり、これに起因して、被検体のレポート作成を円滑に行うことが困難であった。
【０００７】
具体的には、新バージョンのソフトウェアによって作成されたレポート（すなわち新バージョンのレポート）を旧バージョンのレポート編集機能を有する画像表示装置によって編集した場合、この新バージョンのレポートに掲載されていた文字情報がカットされてしまう場合がある。一方、旧バージョンのソフトウェアによって作成されたレポート（すなわち旧バージョンのレポート）を新バージョンのレポート編集機能を有する画像表示装置によって編集した場合、この旧バージョンのレポートに本来掲載されていない項目が追加、作成されてしまう場合がある。
【０００８】
一方、新バージョンの画像処理機能を有する画像表示装置が旧バージョンの各体内画像に対して画像処理を行った場合、この旧バージョンの各体内画像の本来の画像処理結果、表示レート等の表示方法および各体内画像に対する付加情報の形式等が変更されてしまう場合がある。この結果、医療従事者は、新バージョンの画像処理機能によって画像処理された体内画像と前回選択した旧バージョンの体内画像とを判別することができず、これに起因して、体内画像の観察を通した被検体の診察、さらには、この被検体の診察結果を反映したレポートの作成を円滑に行うことが困難であった。
【０００９】
本発明は、上記事情に鑑みてなされたものであって、処理機能のソフトウェアバージョンと被検体のレポートに用いるデータのバージョンとが異なる場合であっても、被検体のレポート作成を円滑に行うことが可能な画像表示装置を提供することを目的とする。
【課題を解決するための手段】
【００１０】
上述した課題を解決し、目的を達成するために、本発明にかかる画像表示装置は、被検体の体内画像を表示する画像表示装置において、被検体に関するデータのバージョンを検出するバージョン検出部と、前記バージョン検出部によって検出された前記被検体に関するデータのバージョンの少なくとも一部分と当該画像表示装置のソフトウェアバージョンの少なくとも一部分とを比較し、前記被検体に関するデータのバージョンの少なくとも一部分と前記ソフトウェアバージョンの少なくとも一部分とが一致するか否かに応じて、前記被検体に関するデータの取り扱いを制御する制御部と、前記被検体に関するデータのバージョンの少なくとも一部分と前記ソフトウェアバージョンの少なくとも一部分とが一致しない場合、このバージョンが一致しない旨を示す警告情報を出力する出力部と、を備えたことを特徴とする。
【００１１】
また、本発明にかかる画像表示装置は、上記の発明において、前記バージョン検出部によって検出された前記被検体に関するデータのバージョンの少なくとも一部分と前記ソフトウェアバージョンの少なくとも一部分との差異を記憶する記憶部を備えたことを特徴とする。
【００１２】
また、本発明にかかる画像表示装置は、上記の発明において、前記被検体に関するデータは、少なくとも前記被検体の体内画像を含む検査データまたは該検査データをもとに作成されるレポートデータであることを特徴とする。
【００１３】
また、本発明にかかる画像表示装置は、上記の発明において、前記検査データは、実施された画像処理の種類およびバージョンの情報を保持することを特徴とする。
【００１４】
また、本発明にかかる画像表示装置は、上記の発明において、画像処理要求を受け付ける入力部を備え、前記制御部は、当該画像表示装置が有する画像処理機能の種類およびソフトウェアバージョンの少なくとも一部分と前記検査データに保持された前記情報とを比較して、前記検査データに対して未実施の画像処理があるか否かを判断し、未実施の画像処理がある場合、前記検査データに対して前記未実施の画像処理を実施するか否かを問い合わせる情報を前記出力部に出力させ、前記入力部によって入力された画像処理要求に基づいて、前記検査データに対して前記未実施の画像処理を実施することを特徴とする。
【００１５】
また、本発明にかかる画像表示装置は、上記の発明において、前記制御部は、前記レポートデータが当該画像表示装置に非対応の項目または当該画像表示装置の許容範囲を超過する文字数の文字データを含む場合、前記レポートデータに表示不可のデータがある旨を示す情報を前記出力部に出力させることを特徴とする。
【００１６】
また、本発明にかかる画像表示装置は、上記の発明において、前記制御部は、当該画像表示装置にログインしたユーザの権限を判断し、この判断したユーザの権限に応じて、前記被検体に関するデータのバージョン更新を許可または禁止することを特徴とする。
【発明の効果】
【００１７】
本発明にかかる画像表示装置では、バージョン検出部が、被検体に関するデータのバージョンを検出し、制御部が、前記バージョン検出部によって検出された前記被検体に関するデータのバージョンの少なくとも一部分と当該画像表示装置のソフトウェアバージョンの少なくとも一部分とを比較し、前記被検体に関するデータのバージョンの少なくとも一部分と前記ソフトウェアバージョンの少なくとも一部分とが一致するか否かに応じて、前記被検体に関するデータの取り扱いを制御し、出力部が、前記被検体に関するデータのバージョンの少なくとも一部分と前記ソフトウェアバージョンの少なくとも一部分とが一致しない場合、このバージョンが一致しない旨を示す警告情報を出力する。このため、被検体のレポートにおける情報の欠落または情報の不整合が生じていることをユーザに報知して、ユーザにレポート作成に関する注意を促すことができる。この結果、たとえ処理機能のソフトウェアバージョンと被検体のレポートに用いるデータのバージョンとが異なる場合であっても、被検体のレポート作成を円滑に行うことができるという効果を奏する。
【発明を実施するための最良の形態】
【００１８】
以下、図面を参照して、本発明にかかる画像表示装置の好適な実施の形態を詳細に説明する。なお、この実施の形態によってこの発明が限定されるものではない。
【００１９】
（実施の形態）
まず、本発明にかかる画像表示装置を備える被検体内情報取得システムについて説明する。図１は、本発明の実施の形態にかかる被検体内情報取得システムの一構成例を示す模式図である。図１に示すように、この実施の形態にかかる被検体内情報取得システムは、被検体１の体内画像を撮像するカプセル型内視鏡２と、被検体１内部のカプセル型内視鏡２から体内画像の無線信号を受信する受信装置３と、受信装置３が受信した体内画像すなわちカプセル型内視鏡２が撮像した被検体１の体内画像を表示する画像表示装置４と、かかる受信装置３と画像表示装置４との間のデータの受け渡しを行うための記憶媒体５とを備える。
【００２０】
カプセル型内視鏡２は、被検体１の臓器内部に導入可能なカプセル型筐体の内部に撮像機能と無線通信機能とを備える。かかるカプセル型内視鏡２は、経口摂取等によって被検体１の臓器内部に導入された後、蠕動運動等によって臓器内部を移動しつつ、所定の間隔（例えば０．５秒間隔）で被検体１の体内画像を順次撮像し、得られた体内画像の無線信号を外部の受信装置３に順次送信する。なお、被検体１内部のカプセル型内視鏡２は、被検体１の外部に排出されるまでの期間、かかる体内画像の撮像および送信を繰り返す。
【００２１】
受信装置３は、かかるカプセル型内視鏡２が撮像した被検体１の体内画像群を受信するためのものである。具体的には、受信装置３は、複数の受信アンテナ３ａ〜３ｈを有し、上述したカプセル型内視鏡２を臓器内部に導入する被検体１に装着（携帯）される。また、受信装置３には、可搬型の記憶媒体５が予め着脱可能に挿着される。かかる受信装置３は、複数の受信アンテナ３ａ〜３ｈの少なくとも一つを介して被検体１内部のカプセル型内視鏡２から無線信号を受信し、この受信した無線信号に対して復調処理等を行って、カプセル型内視鏡２による被検体１の体内画像を取得する。受信装置３は、かかるカプセル型内視鏡２から受信した被検体１の体内画像群を記憶媒体５に格納する。
【００２２】
なお、受信アンテナ３ａ〜３ｈは、被検体１内部のカプセル型内視鏡２の移動経路（すなわち被検体１の消化管）に沿って被検体１の体表上に分散配置されてもよいし、被検体１に着用させるジャケット等に分散配置されてもよい。また、かかる受信装置３に接続する受信アンテナは、被検体１に対して１以上配置されればよく、その配置数は、特に８つに限定されない。
【００２３】
画像表示装置４は、記憶媒体５を介して被検体１の体内画像群等を取得し、この取得した体内画像群等の各種情報をディスプレイに表示するワークステーション等のような構成を有する。図２は、本発明にかかる画像表示装置の一表示態様を示す模式図である。画像表示装置４は、上述したカプセル型内視鏡２によって撮像された被検体１の体内画像群を表示する際、図２に示すようなウィンドウＷ１を表示する。ウィンドウＷ１は、被検体１の体内画像群内に含まれる各体内画像等を表示するためのウィンドウである。具体的には、ウィンドウＷ１には、体内画像等を表示する主表示領域１０１と、体内画像をサムネイル表示する副表示領域１０２と、主表示領域１０１に表示された体内画像の時間位置を示すタイムバー１０３およびスライダ１０４と、体内画像の表示操作を行うための表示操作アイコン群１０５とが含まれる。画像表示装置４は、表示操作アイコン群１０５の中からユーザによって選択された表示操作アイコンに対応して、主表示領域１０１に体内画像を連続表示（擬似動画表示）または静止画表示する。この場合、画像表示装置４は、タイムバー１０３に沿ってスライダ１０４を移動させることによって、主表示領域１０１に現在表示されている体内画像の時間位置を表示する。また、画像表示装置４は、主表示領域１０１に、この表示中の体内画像に対応する被検体１の患者ＩＤ、患者名、性別、生年月日等の患者情報を表示する。一方、画像表示装置４は、かかる主表示領域１０１に表示された各体内画像の中からユーザによって選択された各体内画像を副表示領域１０２に縮小表示（サムネイル表示）する。
【００２４】
また、画像表示装置４は、取得した体内画像に対して各種画像処理を行う画像処理機能と、体内画像に対するコメント（例えば被検体１の診断結果等）を掲載したレポートを作成または編集するレポート処理機能とを備える。医師または看護師等のユーザは、図２に示したウィンドウＷ１内に表示された被検体１の各体内画像を観察して被検体１を診断し、かかる画像表示装置４を操作して、画像処理された体内画像および入力されたコメント等を掲載した被検体１のレポートを作成する。かかる被検体１のレポートデータは、画像表示装置４によって編集または出力可能である。
【００２５】
記憶媒体５は、可搬型の記憶媒体であり、上述した受信装置３と画像表示装置４との間のデータの受け渡し、または画像表示装置４と他の画像表示装置等の外部装置とのデータの受け渡しを行うためのものである。記憶媒体５は、受信装置３および画像表示装置４等に対して着脱可能であって、各装置に挿着された際にデータの出力および記録が可能な構造を有する。具体的には、記憶媒体５は、受信装置３に挿着された場合、受信装置３がカプセル型内視鏡２から受信した被検体１の体内画像群等を格納する。また、記憶媒体５は、画像表示装置４に挿着された場合、被検体１の体内画像群または外部装置によって作成された各種データ等の保存データを画像表示装置４に送出する。
【００２６】
なお、かかる記憶媒体５の保存データとして、例えば、被検体１の体内画像群、これら体内画像群に含まれる各体内画像の時間データ（撮像時刻、受信時刻等）、被検体１の患者名、患者ＩＤ、生年月日、性別、年齢等の患者情報、被検体１の検査日、検査ＩＤ等の検査情報、外部装置によって作成された他の被検体の検査データやレポートデータ等が挙げられる。
【００２７】
つぎに、本発明の実施の形態にかかる画像表示装置４の構成について説明する。図３は、本発明の実施の形態にかかる画像表示装置の一構成例を模式的に示すブロック図である。図３に示すように、この実施の形態にかかる画像表示装置４は、被検体１の体内画像等の各種データの入出力を行うデータ入出力部１１と、各種情報を入力する入力部１２と、体内画像またはレポートデータ等を出力する出力部１３と、被検体１の体内画像群等の各種データを記憶するデータ記憶部１４と、処理対象のデータを記憶する処理記憶部１５と、かかる画像表示装置４の各構成部を制御する制御部１７とを備える。
【００２８】
データ入出力部１１は、被検体１の体内画像群等の各種データを入出力するためのものである。具体的には、データ入出力部１１は、上述した受信装置３から取り外された記憶媒体５を着脱可能に挿着され、この記憶媒体５に保存されている体内画像群等の保存データを取り込み、取り込んだ保存データを制御部１７に入力する。また、データ入出力部１１は、制御部１７によって格納指示されたデータを記憶媒体５に出力し、格納する。
【００２９】
なお、かかるデータ入出力部１１が記憶媒体５から取り込むデータとして、例えば、上述した被検体１の体内画像群、各体内画像の時間データ、他の画像表示装置等の外部装置によって処理された検査データ、外部装置によって作成または編集されたレポートデータ等が挙げられる。一方、かかるデータ入出力部１１が記憶媒体５に格納するデータとして、例えば、画像表示装置４によって処理された検査データ、画像表示装置４によって作成または編集されたレポートデータ、被検体１の患者情報および検査情報等が挙げられる。
【００３０】
入力部１２は、キーボードおよびマウス等の入力デバイスを用いて実現され、ユーザによる入力操作に応じて、制御部１７に各種情報を入力する。具体的には、入力部１２は、制御部１７の制御に基づいて、画像処理要求等の各種処理を要求する指示情報を受け付ける状態になり、この状態において、ユーザによる入力操作に応じた指示情報を制御部１７に入力する。なお、かかる入力部１２が制御部１７に入力する各種情報として、制御部１７に対して指示する指示情報の他に、例えば、被検体１の患者情報、被検体１の検査情報、レポートデータに掲載する文字データ等が挙げられる。
【００３１】
出力部１３は、制御部１７によって出力指示された各種データや各種情報を出力するためのものである。画像表示装置４は、かかる出力部１３として表示部１３ａおよびプリンタ１３ｂを備える。表示部１３ａは、ＣＲＴまたは液晶等のディスプレイを用いて実現され、制御部１７によって出力指示された各種データや各種情報を表示する。プリンタ１３ｂは、制御部１７によって出力指示された各種データや各種情報を紙媒体等に印刷して出力する。なお、かかる表示部１３ａまたはプリンタ１３ｂが出力する各種データまたは各種情報として、例えば、カプセル型内視鏡２によって撮像された体内画像群、被検体に関するデータ（具体的には被検体の検査データやレポートデータ）、画像表示装置４のソフトウェアバージョンと被検体に関するデータのバージョンとが一致しない旨を示す警告情報、画像表示装置４のソフトウェアバージョンのデータにコンバートされたレポートデータに表示不可のデータがある旨を示す情報等が挙げられる。
【００３２】
データ記憶部１４は、ハードディスク等の書き換え可能にデータを保存する記憶メディアを用いて実現される。データ記憶部１４は、制御部１７が記憶指示した各種データを記憶し、記憶した各種データの中から制御部１７が読み出し指示したデータを制御部１７に送出する。この場合、データ記憶部１４は、上述したデータ入出力部１１によって取り込まれた各種データや入力部１２によって入力された各種データ等を記憶する。具体的には、かかるデータ記憶部１４に記憶される各種データとして、例えば、上述したカプセル型内視鏡２によって撮像された被検体１の体内画像群、被検体１の検査データおよびレポートデータ、外部装置によって作成または編集された他の被検体の検査データおよびレポートデータ等が挙げられる。
【００３３】
なお、図３において、データ記憶部１４は、検査データ１４ａおよびレポートデータ１４ｂを記憶しているが、かかる検査データ１４ａおよびレポートデータ１４ｂは、図１に示した被検体１に関するデータであってもよいし、外部装置によって作成または編集されたデータ、すなわち他の被検体に関するデータであってもよい。また、データ記憶部１４は、特に図３に示していないが、かかる検査データ１４ａおよびレポートデータ１４ｂの他に、データ入出力部１１によって取り込まれた検査データやレポートデータ、画像表示装置４によって作成または編集された検査データやレポートデータ等、複数の検査データやレポートデータを被検体別に格納することができる。
【００３４】
処理記憶部１５は、ＲＡＭ、ＥＥＰＲＯＭ、またはフラッシュメモリ等の書き換え可能にデータを保存する記憶メディアを用いて実現され、制御部１７の制御に基づいて、処理対象の検査データおよびレポートデータを記憶する。具体的には、処理記憶部１５には、被検体に関するデータのコンバート処理に関連する情報を記憶するための複数の記憶領域Ａ〜Ｆと、処理対象の検査データを記憶するための検査データ記憶領域１５ａと、予備の記憶領域である残領域１５ｂと、処理対象のレポートデータを新旧のバージョン別に記憶するためのレポートデータ記憶領域１５ｃ，１５ｄとが設けられる。
【００３５】
ここで、処理記憶部１５は、画像表示装置４のソフトウェアバージョンに比して旧バージョンのレポートデータを新バージョン（すなわち画像表示装置４のソフトウェアバージョン）のレポートデータにコンバート処理した旨の情報を記憶領域Ａに記憶し、画像表示装置４のソフトウェアバージョンに比して新バージョンのレポートデータを旧バージョン（すなわち画像表示装置４のソフトウェアバージョン）のレポートデータにコンバート処理した旨の情報を記憶領域Ｂに記憶する。また、処理記憶部１５は、コンバート処理前のレポートデータに記載されていた文字データのうちコンバート処理後のレポートデータにおいてカットされた文字データがある旨の情報を記憶領域Ｃに記憶し、コンバート処理前のレポートデータに含まれるサムネイル画像またはサムネイル画像グループに付されたコメントのうちコンバート処理後のレポートデータにおいてカットされたコメントがある旨の情報を記憶領域Ｄに記憶し、コンバート処理前のレポートデータに含まれるサムネイル画像またはサムネイル画像グループに付されたラベルのうちコンバート処理後のレポートデータにおいてカットされたラベルがある旨の情報を記憶領域Ｅに記憶する。また、処理記憶部１５は、コンバート処理前のレポートデータに含まれるサムネイル画像またはサムネイル画像グループのうちコンバート処理後のレポートデータにおいてカットされたサムネイル画像またはサムネイル画像グループがある旨の情報を記憶領域Ｆに記憶する。かかる処理記憶部１５の各記憶領域Ａ〜Ｆの各々は、上述した情報を記憶した場合にオン状態になる。
【００３６】
また、処理記憶部１５は、処理対象の検査データとしてデータ記憶部１４の中から読み出された検査データを検査データ記憶領域１５ａに記憶する。この場合、処理記憶部１５は、かかる処理対象の検査データとともに、この処理対象の検査データのバージョンと画像表示装置４のソフトウェアバージョンとの差異を検査データ記憶領域１５ａに記憶する。一方、処理記憶部１５は、処理対象のレポートデータとしてデータ記憶部１４の中から読み出されたレポートデータをレポートデータ記憶領域１５ｃ，１５ｄのいずれかに記憶する。詳細には、処理記憶部１５は、処理対象のレポートデータのバージョンが画像表示装置４のソフトウェアバージョンに比して新しい場合、この新バージョンのレポートデータをレポートデータ記憶領域１５ｃに記憶し、処理対象のレポートデータのバージョンが画像表示装置４のソフトウェアバージョンに比して古い場合、この旧バージョンのレポートデータをレポートデータ記憶領域１５ｄに記憶する。なお、処理記憶部１５は、かかる処理対象のレポートデータとともに、この処理対象のレポートデータのバージョンと画像表示装置４のソフトウェアバージョンとの差異をレポートデータ記憶領域１５ｃ，１５ｄに記憶してもよい。
【００３７】
なお、ここでいうサムネイル画像は、被検体のレポートデータに含まれる体内画像のデータであって、この被検体の体内画像群の中からユーザによって選択された体内画像を縮小した画像データである。また、サムネイル画像グループは、かかるサムネイル画像をグループ化したものである。
【００３８】
バージョン検出部１６は、制御部１７の制御に基づいて、被検体に関するデータのバージョンを検出する。ここで、被検体に関するデータである被検体の検査データおよびレポートデータの各々には、データ作成またはデータ編集したソフトウェアのバージョンを示すバージョン情報が含まれている。バージョン検出部１６は、制御部１７によって検出指示された被検体の検査データまたはレポートデータの中からバージョン情報を検出し、この検出したバージョン情報を、被検体の検査データまたはレポートデータのバージョン検出結果として制御部１７に送信する。
【００３９】
制御部１７は、画像処理機能やレポート処理機能等の各種処理プログラムを実行するＣＰＵ、各種処理プログラム等のソフトウェアを格納するメモリ等を用いて実現される。制御部１７は、画像表示装置４の各構成部（データ入出力部１１、入力部１２、表示部１３ａ、プリンタ１３ｂ、データ記憶部１４、処理記憶部１５、およびバージョン検出部１６）を制御し、かかる各構成部間における信号の入出力を制御する。具体的には、制御部１７は、入力部１２によって入力された指示情報に基づいて、上述したようなデータ入出力部１１、入力部１２、表示部１３ａ、プリンタ１３ｂ、データ記憶部１４、処理記憶部１５、およびバージョン検出部１６の各動作を各々制御する。例えば、制御部１７は、処理対象のデータとしてデータ記憶部１４から読み出した被検体の検査データまたはレポートデータのバージョンと画像表示装置４のソフトウェアバージョンとが一致するか否かを判断し、一致しない場合、このバージョンが一致しない旨を示す警告情報を出力部１３に出力させる。この場合、制御部１７は、かかる警告情報を表示部１３ａに表示させてもよいしプリンタ１３ｂにプリントアウトさせてもよい。
【００４０】
また、制御部１７は、処理対象のデータとしてデータ記憶部１４から読み出した被検体に関するデータ（検査データ、レポートデータ）のバージョンと画像表示装置４のソフトウェアバージョンとを比較し、この被検体に関するデータのバージョンと画像表示装置４のソフトウェアバージョンとが一致するか否かに応じて、この被検体に関するデータの取り扱いを制御する。具体的には、制御部１７は、レジストリ１７ａ、コンバート処理部１７ｂ、画像処理部１７ｃ、およびレポート処理部１７ｄを備える。レジストリ１７ａは、被検体に関するデータに含まれる文字データやサムネイル画像の許容範囲を記憶する。具体的には、かかるレジストリ１７ａに記憶させる文字データの上限数として、例えば、各サムネイル画像または各サムネイル画像グループに付加されるコメントの上限文字数、各サムネイル画像または各サムネイル画像グループに付加されるラベルの上限文字数、一つのレポートデータ内に含めることが可能なサムネイル画像の上限数等が挙げられる。
【００４１】
コンバート処理部１７ｂは、処理対象である被検体に関するデータ（検査データ、レポートデータ）を、画像表示装置４のソフトウェアバージョンのデータに変換するコンバート処理を行う。具体的には、コンバート処理部１７ｂは、処理対象のデータのバージョンが画像表示装置４のソフトウェアバージョンに比して古い場合、この旧バージョンのデータを、画像表示装置４のソフトウェアバージョンすなわち新バージョンのデータフォーマットに変換する。この結果、処理対象のデータのバージョンは、画像表示装置４のソフトウェアバージョンに更新（バージョンアップ）される。一方、コンバート処理部１７ｂは、処理対象のデータのバージョンが画像表示装置４のソフトウェアバージョンに比して新しい場合、この新バージョンのデータを、画像表示装置４のソフトウェアバージョンすなわち旧バージョンのデータフォーマットに変換する。この結果、処理対象のデータのバージョンは、画像表示装置４のソフトウェアバージョンに更新（バージョンダウン）される。
【００４２】
画像処理部１７ｃは、入力部１２によって入力された画像処理要求に基づき、被検体に関するデータに含まれる体内画像またはサムネイル画像等の画像データに対して、画像表示装置４のソフトウェアバージョンに対応する画像処理を行う。具体的には、画像処理部１７ｃは、被検体の検査データに対して実行済みの画像処理と異なる画像処理をこの検査データ内の画像データに対して行う。また、画像処理部１７ｃは、被検体の検査データに対して実行済みの画像処理に比して新バージョンの画像処理をこの検査データ内の画像データに対して行う。
【００４３】
レポート処理部１７ｄは、被検体の体内画像および体内画像に関するコメント等を掲載した被検体のレポートデータを作成する。具体的には、レポート処理部１７ｄは、ユーザによって選択された被検体の検査データと、入力部１２によって入力されたコメントやラベル等の文字データとをもとに、この被検体のレポートデータを作成する。この場合、レポート処理部１７ｄは、画像表示装置４のソフトウェアバージョンに対応するデータフォーマットに従ってレポートデータを作成する。なお、被検体の検査データには、この被検体の患者情報、検査情報、体内画像群が含まれる。かかる検査データ内の体内画像群に含まれる各画像データは、上述した画像処理部１７ｃによって適宜画像処理される。一方、レポート処理部１７ｄは、入力部１２からの入力情報に基づいて、かかるレポートデータまたはコンバート処理部１７ｂによってコンバート処理されたレポートデータを編集する。かかるレポート処理部１７ｄによって作成または編集されたレポートデータは、データ記憶部１４に格納される。
【００４４】
一方、制御部１７は、画像表示装置４にログインしたユーザの権限に応じて、被検体に関するデータ（検査データ、レポートデータ）のバージョン更新を許可または禁止する。具体的には、各ユーザのＩＤ、パスワード、および権限が制御部１７に予め設定される。なお、かかる権限別のユーザとして、例えば、サービスマン、管理者、医師、看護師等が挙げられる。制御部１７は、画像表示装置４のログイン処理の際に入力部１２によって入力されたユーザＩＤまたはパスワード等をもとに、ログイン処理したユーザの権限を判断する。かかる制御部１７は、この判断したユーザの権限に対応して、処理対象である被検体に関するデータのバージョン更新を許可または禁止する。例えば、制御部１７は、ユーザがサービスマンまたは管理者である場合にデータのバージョン更新を許可し、ユーザが医師または看護師である場合にデータのバージョン更新を禁止する。
【００４５】
なお、この実施の形態における画像表示装置４のソフトウェアバージョンは、上述した制御部１７のメモリに格納されたソフトウェアのバージョンであって、制御部１７が実行する画像処理機能またはレポート処理機能等の各種処理プログラムのバージョンと一致する。
【００４６】
つぎに、被検体に関するデータの一つである検査データについて説明する。図４は、検査データに埋め込まれたバージョン情報の最初の２バイトを例示する模式図である。図５は、検査データに埋め込まれたバージョン情報の３バイト目を例示する模式図である。検査データは、被検体の患者情報（患者名、患者ＩＤ、生年月日、性別、年齢等）と、被検体の検査情報（検査ＩＤ、検査日等）と、被検体の体内画像群とを含むデータである。なお、この検査データ内の体内画像群は、例えば図１に示したカプセル型内視鏡２によって撮像された画像データである。
【００４７】
なお、かかる体内画像群の中からユーザによって選択された複数の体内画像は、レポートデータの作成時に、関連する画像別にグループ化することができる。また、かかる体内画像群内の各体内画像または各体内画像グループに対しては、表示部１３ａにコメント画面または観察画面等を表示した状態において入力部１２によって入力されたコメントやラベルを付加することができる。
【００４８】
また、かかる検査データには、検査データのバージョン（詳細には検査データを作成または編集したソフトウェアバージョン）を示すバージョン情報が埋め込まれている。具体的には、検査データは、最初の３バイト分のデータ内にバージョン情報を保持する。かかる検査データのバージョン情報のうちのバージョン数（Ｖｅｒ．１．００やＶｅｒ．１．０１等）を示す情報は、例えば図４に示すように、１バイト目である上位８ビットに格納された整数部分と、２バイト目である下位８ビットに格納された小数点以下の部分とによって構成される。この場合、バージョン数の整数部分は、この上位８ビットに２進数として格納される。また、バージョン数の小数点以下の部分は、この下位８ビットに１０進数として格納されるが、上位ビットと下位ビットとを反転する。
【００４９】
一方、検査データは、かかるバージョン情報のうちの３バイト目の１バイト分のデータ内に、仕向け地を区別するための情報を保持する。かかるバージョン情報のうちの仕向け地の情報は、例えば図５に示すように、仕向け地別に設定された数字情報としてこの検査データの３バイト目の８ビットに格納される。なお、かかる仕向け地の情報は、仕向け地毎のソフトウェアの違いを検出して対応可能にするために検査データのバージョン情報内に埋め込まれる。
【００５０】
つぎに、被検体に関するデータの一つであるレポートデータについて説明する。図６は、レポートデータのバージョン情報の一例を示す模式図である。レポートデータは、被検体に関するレポートの内容を含むデータであり、上述した検査データと入力部１２によって入力された文字データとを用いて作成される。かかるレポートデータには、被検体の患者情報（患者名、患者ＩＤ、生年月日、性別、年齢等）、被検体の検査情報（検査ＩＤ、検査日等）、被検体を検査または診察した病院等の施設に関する施設情報、被検体を検査または診断した医師を示す医師情報、被検体の診察または検査に用いた１以上の体内画像、かかる１以上の体内画像に対するコメント、被検体の診断結果等が含まれる。なお、このレポートデータに含まれる１以上の体内画像は、上述した検査データ内の体内画像群の中からユーザによって選択された画像データである。
【００５１】
また、かかるレポートデータには、レポートデータのバージョン（詳細にはレポートデータを作成または編集したソフトウェアバージョン）を示すバージョン情報が埋め込まれている。具体的には、レポートデータは、先頭１バイト分のデータ内にバージョン情報を保持する。かかるレポートデータのバージョン数を示すバージョン情報は、例えば図６に示すように、レポートデータの先頭８ビットに２進数として格納される。なお、かかるレポートデータ自体は、ＸＭＬ形式によって格納される。
【００５２】
なお、本実施の形態にかかる画像表示装置４において、被検体のレポートデータは、このレポートデータ内に如何なるデータが含まれているかをＤＴＤ等のスキーマ言語によって定義した態様でデータ記憶部１４内に格納される。また、かかるレポートデータ内の各データの許容範囲、すなわち一つのレポートデータ内に格納可能な各データのデータ量上限値は、上述した制御部１７のレジストリ１７ａに予め記憶される。さらに、一つのレポートデータにおいてサムネイル画像に付加することが可能なコメントの上限文字数およびラベルの上限文字数がレジストリ１７ａに予め記憶される。一つのレポートデータにおいてサムネイル画像グループに付加することが可能なコメントの上限文字数およびラベルの上限文字数がレジストリ１７ａに予め記憶される。一つのレポートデータ内に含めることが可能なサムネイル画像の上限数がレジストリ１７ａ内に予め記憶される。なお、かかるレポートデータの各項目の文字数、サムネイル画像またはサムネイル画像グループに対するコメント文字数およびラベル文字数、並びにサムネイル画像数の各上限値は、レポートデータのバージョンによって異なる場合がある。
【００５３】
つぎに、上述した検査データに対して実施された画像処理の種類およびバージョンの各情報について説明する。図７は、検査データに対して実施された画像処理のバージョン情報の一具体例を示す模式図である。被検体の検査データは、上述したバージョン情報以降のデータ内、すなわち先頭から４バイト目以降のデータ内に、この検査データ自身に対して実施された画像処理の種類およびバージョンの情報を保持する。
【００５４】
具体的には、検査データの４バイト目に、この検査データ内の画像データに実施された赤色検出処理の種類およびバージョンを示す情報が格納され、検査データの５バイト目に、この検査データ内の画像データに実施された平均色バー処理の種類およびバージョンを示す情報が格納され、検査データの６バイト目に、この検査データ内の画像データに実施された表示速度可変処理の種類およびバージョンを示す情報が格納される。また、かかる検査データのうちの１０バイト分のデータは、新たに追加された画像処理を格納するための予備データ領域として確保される。なお、かかる検査データに対する画像処理の種類およびバージョンを示す情報は、例えば図７に示すように、検査データ内の８ビット分のデータ内に２進数として格納される。一方、かかる検査データ内の予備データ領域には、零値が埋められる。
【００５５】
なお、かかる検査データ内に格納された画像処理のバージョンのうち、画像表示装置４のソフトウェアバージョンと一致しない画像処理のバージョンは、被検体に関するデータのバージョンと画像表示装置４のソフトウェアバージョンとの差異に相当する。
【００５６】
つぎに、本発明の実施の形態にかかる画像表示装置４の動作について説明する。なお、以下では、本実施の形態にかかる画像表示装置４のソフトウェアバージョンと異なるソフトウェアバージョンの外部装置によって処理された被検体の検査データおよびレポートデータを画像表示装置４によって処理する場合を例示して、被検体の検査データおよびレポートデータを読み込んだ際の画像表示装置４の動作、被検体の検査データ内の画像データを表示する際の画像表示装置４の動作、被検体のレポートデータを処理する際の画像表示装置４の動作を順次説明する。
【００５７】
まず、被検体の検査データおよびレポートデータを読み込んだ際の画像表示装置４の動作について説明する。図８は、被検体の検査データおよびレポートデータを読み込んだ際の画像表示装置の処理手順を例示するフローチャートである。図９は、ＸＭＬ形式によって格納されたレポートデータの一部を例示する模式図である。画像表示装置４は、ユーザによってログイン操作された後、このログインしたユーザの権限に応じて被検体の検査データに対して画像処理を実施し、且つ、保有のソフトウェアバージョンのデータに被検体のレポートデータを適宜コンバートする。
【００５８】
すなわち、図８に示すように、画像表示装置４の制御部１７は、ユーザによるログイン操作に対応してログイン処理を行う（ステップＳ１）。この場合、入力部１２は、かかるログイン操作に対応して、このユーザのＩＤおよびパスワード等のログイン情報を制御部１７に入力する。制御部１７は、この入力部１２によって入力されたログイン情報をもとに、このユーザに対応するログイン処理を行う。
【００５９】
その後、制御部１７は、処理対象の検査データを選択するための検査選択画面を表示部１３ａに表示させる。このユーザは、表示部１３ａの検査選択画面を参照しつつ、入力部１２を操作して処理対象の検査データを選択する。制御部１７は、このユーザによる入力部１２の操作によって入力された情報に基づいて、データ記憶部１４の中から処理対象の検査データ１４ａを読み込み（ステップＳ２）、この読み込んだ検査データ１４ａを処理記憶部１５に格納する。この場合、処理記憶部１５は、検査データ記憶領域１５ａに処理対象の検査データ１４ａを記憶する。
【００６０】
続いて、制御部１７は、このユーザによる入力部１２の操作に対応して、処理対象のレポートデータを選択するためのレポート選択画面を表示部１３ａに表示させる。このユーザは、表示部１３ａのレポート選択画面を参照しつつ、入力部１２を操作して処理対象のレポートデータを選択する。制御部１７は、このユーザによる入力部１２の操作によって入力された情報に基づいて、データ記憶部１４の中から処理対象のレポートデータ１４ｂを読み込み（ステップＳ３）、この読み込んだレポートデータ１４ｂを処理記憶部１５に格納する。
【００６１】
つぎに、制御部１７は、この処理対象の検査データ１４ａおよびレポートデータ１４ｂの各バージョンと画像表示装置４のソフトウェアバージョンとが一致するか否かを判断する（ステップＳ４）。このステップＳ４において、制御部１７は、処理対象の検査データ１４ａおよびレポートデータ１４ｂをバージョン検出部１６に送信して、これら検査データ１４ａおよびレポートデータ１４ｂの各バージョンをバージョン検出部１６に検出させる。バージョン検出部１６は、かかる制御部１７の制御に基づいて、検査データ１４ａおよびレポートデータ１４ｂの各バージョン情報を検出し、検出した各バージョン情報を制御部１７に送信する。制御部１７は、かかるバージョン検出部１６によって検出された各バージョン情報と画像表示装置４のソフトウェアバージョンとを比較し、この比較結果をもとに、処理対象の検査データ１４ａおよびレポートデータ１４ｂの各バージョンと画像表示装置４のソフトウェアバージョンとが一致するか否かを判断する。また、制御部１７は、検査データ１４ａおよびレポートデータ１４ｂの各バージョンと画像表示装置４のソフトウェアバージョンとの比較処理を行う際に、それぞれのバージョン情報の全体同士ではなく、データの互換に関連しないバージョン情報を除いた一部分のバージョン情報についての比較処理を行ってもよい。
【００６２】
制御部１７は、このステップＳ４において処理対象の検査データ１４ａおよびレポートデータ１４ｂの各バージョンと画像表示装置４のソフトウェアバージョンとが一致していないと判断した場合（ステップＳ４，Ｎｏ）、処理対象の検査データ１４ａおよびレポートデータ１４ｂの各バージョンと画像表示装置４のソフトウェアバージョンとが一致していない旨を示す警告情報を出力部１３に出力させる（ステップＳ５）。
【００６３】
このステップＳ５において、制御部１７は、かかる警告情報を表示部１３ａに表示させてもよいし、プリンタ１３ｂに出力させてもよい。なお、かかる警告情報は、処理対象の検査データ１４ａおよびレポートデータ１４ｂの各バージョンと画像表示装置４のソフトウェアバージョンとの不一致を直接的に示す内容のものであってもよいし、「新バージョンの検査データまたはレポートデータです」等のようにバージョンの不一致を示唆する内容のものであってもよい。
【００６４】
かかる警告情報が出力された後、制御部１７は、画像表示装置４の画像処理機能の中に画像処理の追加または新バージョンがあるか否かを判断する（ステップＳ６）。このステップＳ６において、制御部１７は、処理対象の検査データ１４ａに付された各種バージョン情報をもとに、この検査データ１４ａに対して実施済みの画像処理のバージョンを確認する。そして、制御部１７は、この実施済みの画像処理のバージョンと画像表示装置４の画像処理機能のソフトウェアバージョンとを比較し、この比較結果をもとに、処理対象の検査データ１４ａに実施されていない追加の画像処理または新バージョンの画像処理が画像表示装置４の画像処理機能の中にあるか否かを判断する。
【００６５】
なお、画像表示装置４の画像処理機能のうち、この処理対象の検査データ１４ａに実施されていない追加の画像処理または新バージョンの画像処理は、この処理対象の検査データ１４ａの画像処理のバージョン情報と画像表示装置４の画像処理機能のバージョン情報との差異に相当する。
【００６６】
制御部１７は、上述したステップＳ６において追加の画像処理または新バージョンの画像処理があると判断した場合（ステップＳ６，Ｙｅｓ）、画像表示装置４にログインしたユーザが管理者またはサービスマンであるか否かを判断する（ステップＳ７）。
【００６７】
ここで、制御部１７には、上述したように、各ユーザのＩＤ、パスワード、および権限（サービスマン、管理者、医師、看護師等）が予め設定されており、制御部１７は、入力部１２によって入力されたログイン情報をもとに、画像表示装置４にログインしたユーザの権限を判別することができる。制御部１７は、ログインしたユーザが管理者またはサービスマンであると判断した場合（ステップＳ７，Ｙｅｓ）、処理対象の検査データ１４ａに付されている画像処理のバージョン情報等（例えばこの検査データ１４ａの先頭から４バイト目に格納されたデータ）をもとにこの検査データ１４ａに対して実施済みの画像処理を判断する。そして、制御部１７は、画像表示装置４が保有する追加の画像処理および新バージョンの画像処理等の新画像処理（すなわちこの検査データ１４ａに対して未実施の画像処理）を実施するか否かを判断する（ステップＳ８）。
【００６８】
このステップＳ８において、制御部１７は、この検査データ１４ａに対して新しい画像処理を実施するか否かを問い合わせる情報を出力部１３に出力させる。この場合、制御部１７は、この問い合わせ情報を示すメッセージ画面を表示部１３ａに表示させてもよいし、この問い合わせ情報をプリンタ１３ｂに出力させてもよい。かかる問い合わせ情報が出力された状態において、制御部１７は、処理対象の検査データ１４ａに対する画像処理の実施を要求する画像処理要求を受付可能な状態に入力部１２を制御し、ユーザによる入力部１２の操作によって画像処理要求が入力された場合、実施すると判断し（ステップＳ８，Ｙｅｓ）、この画像処理要求に基づく新バージョンの画像処理または追加の画像処理をこの検査データ１４ａに対して実施する（ステップＳ９）。すなわち、制御部１７は、ログインのユーザがサービスマンまたは管理者である場合、この検査データ１４ａに対する新画像処理の実施を許可する。その後、制御部１７は、処理対象のレポートデータ１４ｂのバージョンと画像表示装置４のソフトウェアバージョンとが一致するか否かを判断する（ステップＳ１０）。
【００６９】
これに対し、制御部１７は、上述したステップＳ６において追加の画像処理または新バージョンの画像処理がないと判断した場合（ステップＳ６，Ｎｏ）、上述したステップＳ７においてログインのユーザが管理者またはサービスマンではないと判断した場合（ステップＳ７，Ｎｏ）、あるいは上述したステップＳ８において検査データ１４ａに新画像処理を実施しないと判断した場合（ステップＳ８，Ｎｏ）、上述したステップＳ９を実施せずにステップＳ１０の処理手順に進む。すなわち、制御部１７は、ログインのユーザがサービスマンまたは管理者以外、例えば医師または看護師である場合、この検査データ１４ａに対する新画像処理の実施を禁止する。
【００７０】
このように、制御部１７は、ログインしたユーザの権限に応じて、検査データ１４ａに対する新画像処理の実施を許可または禁止でき、この結果、医師または看護師等の医療従事者による被検体の診察の円滑化を図ることができる。
【００７１】
一方、ステップＳ１０において、制御部１７は、上述したバージョン検出部１６によって検出されたレポートデータ１４ｂのバージョン情報と画像表示装置４のソフトウェアバージョンとを再度比較し、この比較結果をもとに、処理対象のレポートデータ１４ｂのバージョンと画像表示装置４のソフトウェアバージョンとが一致するか否かを判断する。制御部１７は、このレポートデータ１４ｂのバージョンと画像表示装置４のソフトウェアバージョンとが一致すると判断した場合（ステップＳ１０，Ｙｅｓ）、このレポートデータ１４ｂに対してコンバート処理などを実施せずに、本処理を終了する。
【００７２】
これに対し、制御部１７は、ステップＳ１０において処理対象のレポートデータ１４ｂのバージョンと画像表示装置４のソフトウェアバージョンとが一致しないと判断した場合（ステップＳ１０，Ｎｏ）、このレポートデータ１４ｂのバージョンが画像表示装置４のソフトウェアバージョンに比して新しいか否かを判断する（ステップＳ１１）。
【００７３】
制御部１７は、ステップＳ１１において処理対象のレポートデータ１４ｂのバージョンが画像表示装置４のソフトウェアバージョンに比して古いと判断した場合（ステップＳ１１，Ｎｏ）、画像表示装置４に比して旧バージョンであるレポートデータ１４ｂを新フォーマットにコンバート処理し、その旨を記憶する（ステップＳ１２）。
【００７４】
このステップＳ１２において、コンバート処理部１７ｂは、この旧バージョンであるレポートデータ１４ｂを、画像表示装置４のソフトウェアバージョンに対応する新フォーマットのデータにコンバート処理する。この場合、コンバート処理部１７ｂは、この新フォーマットのうち、旧バージョンであるレポートデータ１４ｂに存在しない項目は空白にする。制御部１７は、このように処理対象のレポートデータ１４ｂを新フォーマットのデータにコンバート処理した旨を処理記憶部１５に記憶させる。処理記憶部１５は、かかる制御部１７の制御に基づいて、この旧バージョンから新バージョンへのレポートデータ１４ｂのコンバート処理の実行履歴を記憶領域Ａに記憶して、この記憶領域Ａをオン状態にする。なお、かかる旧バージョンのレポートデータ１４ｂは、処理記憶部１５のレポートデータ記憶領域１５ｄに格納される。
【００７５】
つぎに、制御部１７は、処理対象である旧バージョンのレポートデータ１４ｂ内のサムネイル画像またはサムネイル画像グループに付されているコメントのコピー処理（ステップＳ１３）と、このレポートデータ１４ｂ内のサムネイル画像またはサムネイル画像グループに付されているラベルのコピー処理（ステップＳ１４）とを順次実行する。このステップＳ１３，Ｓ１４において、コンバート処理部１７ｂは、このレポートデータ１４ｂを新フォーマットに従って変換したデータに、コンバート処理前のレポートデータ１４ｂに含まれるサムネイル画像またはサムネイル画像グループのコメントおよびラベルの各文字データをサムネイル画像とともにコピーする。
【００７６】
ここで、被検体のレポートデータのバージョンには、かかるサムネイル画像またはサムネイル画像グループのラベルが設定されているものもあれば、設定されていないものもある。例えば図９に示すように、新バージョン（Ｖｅｒ．２．００）のレポートデータには、サムネイル画像またはサムネイル画像グループのラベルタグ＜Ｌａｂｅｌ＞が設定されているが、旧バージョン（Ｖｅｒ．１．００）のレポートデータには、このラベルタグ自体がない。コンバート処理部１７ｂは、旧バージョンのレポートデータ１４ｂがサムネイル画像等のラベルに対応していない場合、新フォーマットに変換後のレポートデータ１４ｂ内のラベル項目を空白にする。一方、コンバート処理部１７ｂは、旧バージョンのレポートデータ１４ｂがサムネイル画像等のラベルに対応する場合、新フォーマットに変換後のレポートデータ１４ｂに、コンバート処理前のレポートデータ１４ｂ内のラベルをコピーする。
【００７７】
その後、制御部１７は、かかるコンバート処理後のレポートデータ１４ｂの言語が画像表示装置４の設定と異なるか否かを判断し、必要に応じて、画像表示装置４の入力設定および表示設定を自動変更し（ステップＳ２０）、本処理を終了する。このステップＳ２０において、制御部１７は、このレポートデータ１４ｂの言語が画像表示装置４の入力設定と異なる場合、このレポートデータ１４ｂの言語に合わせて画像表示装置４の入力設定を変更し、このレポートデータ１４ｂの言語が画像表示装置４の表示設定と異なる場合、このレポートデータ１４ｂの言語に合わせて画像表示装置４の表示設定を変更する。
【００７８】
一方、制御部１７は、上述したステップＳ１１において処理対象のレポートデータ１４ｂのバージョンが画像表示装置４のソフトウェアバージョンに比して新しいと判断した場合（ステップＳ１１，Ｙｅｓ）、画像表示装置４に比して新バージョンであるレポートデータ１４ｂを旧フォーマットにコンバート処理し、その旨を記憶する（ステップＳ１５）。
【００７９】
このステップＳ１５において、コンバート処理部１７ｂは、この新バージョンであるレポートデータ１４ｂを、画像表示装置４のソフトウェアバージョンに対応する旧フォーマットのデータにコンバート処理する。この場合、コンバート処理部１７ｂは、この新バージョンのレポートデータ１４ｂ内の各項目のデータの中から、画像表示装置４のソフトウェアバージョンのフォーマットである旧フォーマットに対応する項目のデータを抽出し、この旧フォーマットに非対応の項目のデータを無視する。なお、この非対応の項目の文字データは、レポートデータ１４ｂのコンバート処理時にコンバート処理部１７ｂによってカットされ、この結果、表示部１３ａに表示されない。制御部１７は、このように処理対象のレポートデータ１４ｂを旧フォーマットのデータにコンバート処理した旨を処理記憶部１５に記憶させる。処理記憶部１５は、かかる制御部１７の制御に基づいて、この新バージョンから旧バージョンへのレポートデータ１４ｂのコンバート処理の実行履歴を記憶領域Ｂに記憶して、この記憶領域Ｂをオン状態にする。なお、かかる新バージョンのレポートデータ１４ｂは、処理記憶部１５のレポートデータ記憶領域１５ｃに格納される。
【００８０】
続いて、制御部１７は、処理対象である新バージョンのレポートデータ１４ｂから抽出した各項目の文字データをこの旧フォーマットのデータにコピーする。この場合、コンバート処理部１７ｂは、旧フォーマットのデータ内の各項目の上限文字数を限度に、この抽出した各項目の文字データを各々コピーする。すなわち、コンバート処理部１７ｂは、この新バージョンのレポートデータ１４ｂから抽出した項目の文字データが旧フォーマットのデータにおける同一項目の上限文字数以内である場合、この抽出した全文字データを旧フォーマットのデータにコピーする。一方、コンバート処理部１７ｂは、この抽出した項目の文字データが旧フォーマットのデータにおける同一項目の上限文字数を超過する場合、この抽出した文字データのうちの先頭から上限文字数分を旧フォーマットのデータにコピーするとともに、この上限文字数を超過した文字データをカットする。なお、このカットされた文字データは、レポートの掲載データとして表示部１３ａに表示不可のデータである。制御部１７は、このように新バージョンのレポートデータ１４ｂ内の各項目のうちの少なくとも一つの項目の文字データがカットされた場合、このカットされた旨を記憶する（ステップＳ１６）。
【００８１】
このステップＳ１６において、制御部１７は、このように文字データがカットされた旨を処理記憶部１５に記憶させる。処理記憶部１５は、かかる制御部１７の制御に基づいて、上述したような文字データのカット処理の実行履歴を記憶領域Ｃに記憶して、この記憶領域Ｃをオン状態にする。
【００８２】
つぎに、制御部１７は、処理対象である新バージョンのレポートデータ１４ｂに含まれるサムネイル画像またはサムネイル画像グループのコメントをコンバート処理後の旧フォーマットのデータにコピーし、このコメントのカット処理を行った場合、その旨を記憶する（ステップＳ１７）。
【００８３】
このステップＳ１７において、コンバート処理部１７ｂは、レジストリ１７ａに記憶されているコメントの上限文字数を限度に、サムネイル画像またはサムネイル画像グループのコメントの文字データをコンバート処理後の旧フォーマットのデータにコピーする。すなわち、コンバート処理部１７ｂは、このコメントの文字データがコメントの上限文字数以内である場合、このコメントの全文字データを旧フォーマットのデータにコピーする。一方、コンバート処理部１７ｂは、このコメントの文字データがコメントの上限文字数を超過する場合、このコメントの文字データのうちの先頭から上限文字数分を旧フォーマットのデータにコピーするとともに、この上限文字数を超過した文字データをカットする。なお、このカットされた文字データは、レポートの掲載データとして表示部１３ａに表示不可のデータである。
【００８４】
制御部１７は、このように新バージョンのレポートデータ１４ｂ内の各コメントのうちの少なくとも一つのコメントの文字データがカットされた場合、このカットされた旨を処理記憶部１５に記憶させる。処理記憶部１５は、かかる制御部１７の制御に基づいて、上述したようなコメントのカット処理の実行履歴を記憶領域Ｄに記憶して、この記憶領域Ｄをオン状態にする。
【００８５】
つぎに、制御部１７は、処理対象である新バージョンのレポートデータ１４ｂに含まれるサムネイル画像またはサムネイル画像グループのラベルをコンバート処理後の旧フォーマットのデータにコピーし、このラベルのカット処理を行った場合、その旨を記憶する（ステップＳ１８）。
【００８６】
このステップＳ１８において、コンバート処理部１７ｂは、レジストリ１７ａに記憶されているラベルの上限文字数を限度に、サムネイル画像またはサムネイル画像グループのラベルの文字データをコンバート処理後の旧フォーマットのデータにコピーする。すなわち、コンバート処理部１７ｂは、このラベルの文字データがラベルの上限文字数以内である場合、このラベルの全文字データを旧フォーマットのデータにコピーする。一方、コンバート処理部１７ｂは、このラベルの文字データがラベルの上限文字数を超過する場合、このラベルの文字データのうちの先頭から上限文字数分を旧フォーマットのデータにコピーするとともに、この上限文字数を超過した文字データをカットする。なお、このカットされた文字データは、レポートの掲載データとして表示部１３ａに表示不可のデータである。
【００８７】
制御部１７は、このように新バージョンのレポートデータ１４ｂ内の各ラベルのうちの少なくとも一つのラベルの文字データがカットされた場合、このカットされた旨を処理記憶部１５に記憶させる。処理記憶部１５は、かかる制御部１７の制御に基づいて、上述したようなラベルのカット処理の実行履歴を記憶領域Ｅに記憶して、この記憶領域Ｅをオン状態にする。
【００８８】
つぎに、制御部１７は、処理対象である新バージョンのレポートデータ１４ｂに含まれるサムネイル画像をコンバート処理後の旧フォーマットのデータにコピーし、このサムネイル画像のカット処理を行った場合、その旨を記憶する（ステップＳ１９）。
【００８９】
このステップＳ１９において、コンバート処理部１７ｂは、レジストリ１７ａに記憶されているサムネイル画像の上限数を限度に、レポートデータ１４ｂ内のサムネイル画像をコンバート処理後の旧フォーマットのデータにコピーする。すなわち、コンバート処理部１７ｂは、レポートデータ１４ｂ内のサムネイル画像数がサムネイル画像の上限数以内である場合、このレポートデータ１４ｂ内の全サムネイル画像を旧フォーマットのデータにコピーする。一方、コンバート処理部１７ｂは、レポートデータ１４ｂ内のサムネイル画像数がサムネイル画像の上限数を超過する場合、このレポートデータ１４ｂ内の全サムネイル画像のうちの先頭から上限数分を旧フォーマットのデータとして登録するとともに、この上限数を超過したサムネイル画像をカットする。なお、このカットされたサムネイル画像は、レポートの掲載データとして表示部１３ａに表示不可の画像データである。
【００９０】
制御部１７は、このように新バージョンのレポートデータ１４ｂ内のサムネイル画像のうちの少なくとも一つのサムネイル画像がカットされた場合、このカットされた旨を処理記憶部１５に記憶させる。処理記憶部１５は、かかる制御部１７の制御に基づいて、上述したようなサムネイル画像のカット処理の実行履歴を記憶領域Ｆに記憶して、この記憶領域Ｆをオン状態にする。
【００９１】
その後、制御部１７は、ステップＳ２０に進み、このステップＳ２０以降の処理を実行する。なお、制御部１７は、上述したステップＳ４において処理対象の検査データ１４ａおよびレポートデータ１４ｂの各バージョンと画像表示装置４のソフトウェアバージョンとが一致すると判断した場合（ステップＳ４，Ｙｅｓ）、上述したステップＳ５を実行せずにステップＳ６に進み、このステップＳ６以降の処理手順を実行する。
【００９２】
つぎに、被検体の検査データ内の画像データを表示する際の画像表示装置４の動作について説明する。図１０は、被検体の検査データ内の画像データを表示する際の画像表示装置の処理手順を例示するフローチャートである。画像表示装置４は、上述したように新画像処理が実施された検査データ内の各体内画像を、ユーザによる表示操作に応じて表示する。
【００９３】
すなわち、図１０に示すように、画像表示装置４の制御部１７は、処理対象の検査データ１４ａ内に格納された画像処理の種類およびバージョンの情報に基づくバー表示を表示部１３ａに行わせる（ステップＳ２１）。このステップＳ２１において、表示部１３ａは、制御部１７の制御に基づいて、例えば図２に示したようなタイムバー１０３等を表示する。なお、図８に示したステップＳ９においてこの検査データ１４ａに新画像処理が実施されていた場合、制御部１７は、この検査データ１４ａの画像処理結果に基づいたバー表示（例えば各体内画像の平均色をバー状に配列した平均色バーの表示）を表示部１３ａに実行させる。
【００９４】
つぎに、制御部１７は、ユーザによって再生操作が行われたか否かを判断する（ステップＳ２２）。このステップＳ２２において、制御部１７は、入力部１２によって体内画像の表示指示情報が入力された場合、ユーザによる再生操作が行われたと判断し（ステップＳ２２，Ｙｅｓ）、処理対象の検査データ１４ａの画像処理結果に基づき体内画像の表示を実施する（ステップＳ２３）。なお、入力部１２は、ユーザによる再生操作に対応して、例えば図２に示した表示操作アイコン群１０５のうちのいずれかに対応する表示指示情報を制御部１７に入力する。
【００９５】
このステップＳ２３において、制御部１７は、この検査データ１４ａの画像処理結果（例えば赤色検出処理、表示速度可変処理等）を体内画像の表示状態に反映させるとともに、入力部１２によって入力された表示指示情報に対応する表示フレームレートでこの検査データ１４ａ内の各体内画像を表示する。
【００９６】
一方、制御部１７は、上述したステップＳ２２において体内画像の表示指示情報が入力されていない場合、ユーザによる再生操作が行われていないと判断し（ステップＳ２２，Ｎｏ）、このステップＳ２２の処理手順を繰り返す。
【００９７】
その後、制御部１７は、ユーザによって再生終了操作が行われたか否かを判断する（ステップＳ２４）。このステップＳ２４において、制御部１７は、入力部１２によって体内画像の表示終了指示情報が入力された場合、再生終了操作が行われたと判断し（ステップＳ２４，Ｙｅｓ）、体内画像の再生を終了するように表示部１３ａを制御して、本処理を終了する。一方、制御部１７は、ステップＳ２４において表示終了指示情報が入力されていない場合、再生終了操作が行われていないと判断し（ステップＳ２４，Ｎｏ）、ステップＳ２３に戻り、このステップＳ２３以降の処理手順を繰り返す。
【００９８】
つぎに、被検体のレポートデータを処理する際の画像表示装置４の動作について説明する。図１１は、被検体のレポートデータを処理する際の画像表示装置の処理手順を例示するフローチャートである。画像表示装置４は、上述したように保有のソフトウェアバージョンに合わせてコンバート処理したレポートデータ１４ｂを画面表示する際、このレポートデータ１４ｂを作成または編集する上でユーザに警告すべき警告情報を必要に応じて画面表示する。
【００９９】
すなわち、図１１に示すように、画像表示装置４の制御部１７は、入力部１２によって入力された指示情報に基づいて、予め設定されたフォーマットのレポート準備画面を表示するように表示部１３ａを制御するとともに、このレポート準備画面内に処理対象のレポートデータ１４ｂ内のサムネイル画像を表示するように表示部１３ａを制御する（ステップＳ３１）。
【０１００】
このステップ３１において、制御部１７は、例えば図１２に示すようなウィンドウＷ２を表示部１３ａに表示させる。このウィンドウＷ２は、レポート準備画面の一例であり、図１２に示すように、サムネイル画像表示領域１１１と、画像グループ表示領域１１２と、画像表示領域１１３と、コメント入力領域１１４とを含む。表示部１３ａは、制御部１７の制御に基づいて、処理対象のレポートデータ１４ｂ内の全サムネイル画像をサムネイル画像表示領域１１１に表示する。また、制御部１７は、医療従事者等のユーザによる入力部１２の操作に対応して、サムネイル画像表示領域１１１内のサムネイル画像の中からレポートに掲載するサムネイル画像を選択し、この選択したサムネイル画像を画像表示領域１１３に表示するように表示部１３ａを制御する。さらに、制御部１７は、ユーザによる入力部１２の操作に対応して、サムネイル画像表示領域１１１内のサムネイル画像のグループ化処理を行い、グループ化したサムネイル画像を画像グループ表示領域１１２に表示するように表示部１３ａを制御する。なお、制御部１７は、入力部１２によってサムネイル画像またはサムネイル画像グループに対するコメントが入力された場合、この入力されたコメントの文字データをコメント入力領域１１４に表示するように表示部１３ａを制御する。
【０１０１】
このようにレポート準備画面であるウィンドウＷ２内にサムネイル画像が表示された状態において、制御部１７は、処理対象のレポートデータ１４ｂ内のコメントカットの記憶があるか否かを判断する（ステップＳ３２）。このステップＳ３２において、制御部１７は、上述した記憶領域Ｄがオン状態である場合、このコメントカットの記憶ありと判断し（ステップＳ３２，Ｙｅｓ）、このコメントカットのメッセージ表示を行う（ステップＳ３３）。
【０１０２】
このステップＳ３３において、制御部１７は、少なくともコメントカットが実施された旨を明示するメッセージを警告情報として表示部１３ａに表示させる。この場合、制御部１７は、例えば図１３に示すように、コメントがカットされたサムネイル画像の近傍に警告情報の一つである「！」等のマーク７ａを表示するように表示部１３ａを制御する。そして、制御部１７は、このマーク７ａを指し示すツールチップ８ａ内に、少なくともコメントカットが実施された旨を明示する警告メッセージを警告情報として表示するように表示部１３ａを制御する。
【０１０３】
なお、かかるコメントカットの警告情報には、コメントカットが実施された旨（すなわち表示不可のコメントの文字データがある旨）のメッセージの他に、画像表示装置４が保有するソフトウェアのバージョンアップの推奨を勧めるメッセージ等が含まれてもよい。すなわち、制御部１７は、コメントのカットが実施されたことを明示するとともにソフトウェアのバージョンアップの推奨を勧めるメッセージを警告情報として表示部１３ａに表示させてもよい。この場合、例えば図１３に示すツールチップ８ａ内には、「このレポートは、新バージョンのソフトウェアで作成しています。コメントがカットされています。ソフトウェアのバージョンアップをお勧めします。」等の警告メッセージが表示される。
【０１０４】
続いて、制御部１７は、処理対象のレポートデータ１４ｂ内のラベルカットの記憶があるか否かを判断する（ステップＳ３４）。なお、制御部１７は、上述したステップＳ３２において記憶領域Ｄがオン状態ではない場合、処理対象のレポートデータ１４ｂのコメントカットの記憶なしと判断し（ステップＳ３２，Ｎｏ）、上述したステップＳ３３の処理手順を実行せずに、ステップＳ３４に進む。このステップＳ３４において、制御部１７は、上述した記憶領域Ｅがオン状態である場合、このラベルカットの記憶ありと判断し（ステップＳ３４，Ｙｅｓ）、このラベルカットのメッセージ表示を行う（ステップＳ３５）。
【０１０５】
このステップＳ３５において、制御部１７は、少なくともラベルカットが実施された旨を明示するメッセージを警告情報として表示部１３ａに表示させる。この場合、制御部１７は、上述したコメントカットの警告表示の場合と同様に、マーク７ａと、少なくともラベルカットが実施された旨を明示する警告メッセージを含むツールチップ８ａとを警告情報として表示部１３ａに表示させる。
【０１０６】
なお、かかるラベルカットの警告情報には、ラベルカットが実施された旨（すなわち表示不可のラベルの文字データがある旨）のメッセージの他に、画像表示装置４が保有するソフトウェアのバージョンアップの推奨を勧めるメッセージ等が含まれてもよい。すなわち、制御部１７は、ラベルのカットが実施されたことを明示するとともにソフトウェアのバージョンアップの推奨を勧めるメッセージを警告情報として表示部１３ａに表示させてもよい。この場合、例えば図１３に示すツールチップ８ａ内には、「このレポートは、新バージョンのソフトウェアで作成しています。ラベルがカットされています。ソフトウェアのバージョンアップをお勧めします。」等の警告メッセージが表示される。
【０１０７】
続いて、制御部１７は、処理対象のレポートデータ１４ｂ内のサムネイル画像カットの記憶があるか否かを判断する（ステップＳ３６）。なお、制御部１７は、上述したステップＳ３４において記憶領域Ｅがオン状態ではない場合、処理対象のレポートデータ１４ｂのラベルカットの記憶なしと判断し（ステップＳ３４，Ｎｏ）、上述したステップＳ３５の処理手順を実行せずに、ステップＳ３６に進む。このステップＳ３６において、制御部１７は、上述した記憶領域Ｆがオン状態である場合、このサムネイル画像カットの記憶ありと判断し（ステップＳ３６，Ｙｅｓ）、このサムネイル画像カットのメッセージ表示を行う（ステップＳ３７）。
【０１０８】
このステップＳ３７において、制御部１７は、少なくともサムネイル画像カットが実施された旨を明示するメッセージを警告情報として表示部１３ａに表示させる。この場合、制御部１７は、例えば図１２に示したウィンドウＷ２のサムネイル画像表示領域１１１または画像グループ表示領域１１２内に、警告情報の一つであるマーク７ａを表示するように表示部１３ａを制御する。そして、制御部１７は、このマーク７ａを指し示すツールチップ８ａ内に、少なくともサムネイル画像カットが実施された旨を明示する警告メッセージを警告情報として表示するように表示部１３ａを制御する。
【０１０９】
なお、かかるサムネイル画像カットの警告情報には、サムネイル画像カットが実施された旨（すなわち表示不可のサムネイル画像がある旨）のメッセージの他に、画像表示装置４が保有するソフトウェアのバージョンアップの推奨を勧めるメッセージ等が含まれてもよい。すなわち、制御部１７は、サムネイル画像のカットが実施されたことを明示するとともにソフトウェアのバージョンアップの推奨を勧めるメッセージを警告情報として表示部１３ａに表示させてもよい。この場合、例えば図１３に示すツールチップ８ａ内には、「このレポートは、新バージョンのソフトウェアで作成しています。サムネイルがカットされています。ソフトウェアのバージョンアップをお勧めします。」等の警告メッセージが表示される。
【０１１０】
その後、制御部１７は、上述したレポート準備画面からレポート作成画面に移行するか否かを判断する（ステップＳ３８）。なお、制御部１７は、上述したステップＳ３６において記憶領域Ｆがオン状態ではない場合、処理対象のレポートデータ１４ｂ内のサムネイル画像カットの記憶なしと判断し（ステップＳ３６，Ｎｏ）、上述したステップＳ３７の処理手順を実行せずに、ステップＳ３８に進む。
【０１１１】
このステップＳ３８において、制御部１７は、入力部１２によってレポート作成画面への移行を指示する移行指示情報が入力された場合、この入力された移行指示情報に基づいてレポート作成画面に移行すると判断し（ステップＳ３８，Ｙｅｓ）、上述したレポート準備画面の表示からレポート作成画面の表示に移行するように表示部１３ａを制御する。なお、かかる移行指示情報は、レポート作成画面への移行ボタンを選択する等のユーザによる入力部１２の操作に対応して制御部１７に入力される。
【０１１２】
表示部１３ａは、かかる制御部１７の制御に基づいて、例えば図１４に例示するようなウィンドウＷ３または図１５に例示するようなウィンドウＷ４を表示する。かかるウィンドウＷ３，Ｗ４は、いずれも被検体のレポートを作成するための画面であり、上述したレポート準備画面において選択または入力されたサムネイル画像およびコメント等の情報、被検体の患者情報および検査情報等が掲載されている。
【０１１３】
なお、制御部１７は、このステップＳ３８においてレポート作成画面への移行指示情報が入力されない場合、レポート作成画面に移行しないと判断し（ステップＳ３８，Ｎｏ）、入力部１２によって移行指示情報が入力されるまで、このステップＳ３８の処理手順を繰り返す。
【０１１４】
ステップＳ３８によってレポート作成画面が表示部１３ａに表示された状態において、制御部１７は、コンバート処理前のレポートデータ１４ｂを旧バージョンから新バージョンへコンバート処理した旨の記憶、すなわち旧レポートデータから新レポートデータへのコンバートの記憶があるか否かを判断する（ステップＳ３９）。このステップＳ３９において、制御部１７は、上述した記憶領域Ａがオン状態である場合、この旧レポートデータから新レポートデータへのコンバートの記憶ありと判断し（ステップＳ３９，Ｙｅｓ）、この旧レポートデータから新レポートデータへのコンバート済みのメッセージ表示を行う（ステップＳ４０）。
【０１１５】
このステップＳ４０において、制御部１７は、少なくとも旧レポートデータから新レポートデータへのコンバート処理が実施された旨を明示するメッセージを警告情報として表示部１３ａに表示させる。この場合、制御部１７は、かかる警告情報として、少なくとも旧レポートデータから新レポートデータへのコンバート処理が実施された旨を明示する警告メッセージが付されたツールチップ８ａとマーク７ａとをレポート作成画面に表示するように表示部１３ａを制御する。
【０１１６】
なお、かかる旧レポートデータから新レポートデータへのコンバート処理済みの警告情報には、旧レポートデータから新レポートデータへのコンバート処理が実施された旨のメッセージの他に、画像表示装置４が保有するソフトウェアのバージョンアップの推奨を勧めるメッセージ等が含まれてもよい。すなわち、制御部１７は、旧レポートデータから新レポートデータへのコンバート処理が実施されたことを明示するとともにソフトウェアのバージョンアップの推奨を勧めるメッセージを警告情報として表示部１３ａに表示させてもよい。
【０１１７】
続いて、制御部１７は、コンバート処理前のレポートデータ１４ｂを新バージョンから旧バージョンへコンバート処理した旨の記憶、すなわち新レポートデータから旧レポートデータへのコンバートの記憶があるか否かを判断する（ステップＳ４１）。なお、制御部１７は、上述したステップＳ３９において記憶領域Ａがオン状態ではない場合、処理対象のレポートデータ１４ｂについて旧レポートデータから新レポートデータへのコンバートの記憶なしと判断し（ステップＳ３９，Ｎｏ）、上述したステップＳ４０の処理手順を実行せずに、ステップＳ４１に進む。このステップＳ４１において、制御部１７は、上述した記憶領域Ｂがオン状態である場合、この新レポートデータから旧レポートデータへのコンバートの記憶ありと判断し（ステップＳ４１，Ｙｅｓ）、この新レポートデータから旧レポートデータへのコンバート済みのメッセージ表示を行う（ステップＳ４２）。
【０１１８】
このステップＳ４２において、制御部１７は、少なくとも新レポートデータから旧レポートデータへのコンバート処理が実施された旨を明示するメッセージを警告情報として表示部１３ａに表示させる。この場合、制御部１７は、かかる警告情報として、少なくとも新レポートデータから旧レポートデータへのコンバート処理が実施された旨を明示する警告メッセージが付されたツールチップ８ａとマーク７ａとをレポート作成画面に表示するように表示部１３ａを制御する。
【０１１９】
なお、かかる新レポートデータから旧レポートデータへのコンバート処理済みの警告情報には、新レポートデータから旧レポートデータへのコンバート処理が実施された旨のメッセージの他に、画像表示装置４が保有するソフトウェアのバージョンアップの推奨を勧めるメッセージ等が含まれてもよい。すなわち、制御部１７は、新レポートデータから旧レポートデータへのコンバート処理が実施されたことを明示するとともにソフトウェアのバージョンアップの推奨を勧めるメッセージを警告情報として表示部１３ａに表示させてもよい。
【０１２０】
続いて、制御部１７は、レポートデータ１４ｂをコンバート処理した際にレポートデータ１４ｂ内の情報の中にカットされたものがある旨の記憶、すなわち情報カットの記憶があるか否かを判断する（ステップＳ４３）。なお、制御部１７は、上述したステップＳ４１において記憶領域Ｂがオン状態ではない場合、処理対象のレポートデータ１４ｂについて新レポートデータから旧レポートデータへのコンバートの記憶なしと判断し（ステップＳ４１，Ｎｏ）、上述したステップＳ４２の処理手順を実行せずに、ステップＳ４３に進む。このステップＳ４３において、制御部１７は、上述した記憶領域Ｃがオン状態である場合、この情報カットの記憶ありと判断し（ステップＳ４３，Ｙｅｓ）、この情報カット済みのメッセージ表示を行う（ステップＳ４４）。
【０１２１】
このステップＳ４４において、制御部１７は、少なくともレポートデータ１４ｂ内の項目の情報カット（文字データカット）が実施された旨を明示するメッセージを警告情報として表示部１３ａに表示させる。具体的には、制御部１７は、例えば図１６，１７に示すように、情報カットが実施された各項目に、警告情報の一つである「！」等のマーク７ｂ〜７ｋまたはマーク７ｍ，７ｎを表示するように表示部１３ａを制御する。そして、制御部１７は、これらのマーク７ｂ〜７ｋまたはマーク７ｍ，７ｎの中から、ユーザによる入力部１２の操作によって選択されたマークに対応する項目の警告メッセージを、このマークを指し示すツールチップ内に表示するように表示部１３ａを制御する。例えば、図１６では、マーク７ｈが選択され、この選択されたマーク７ｈに対応する項目の警告メッセージが、このマーク７ｈを指し示すツールチップ８ｈ内に表示されている。一方、図１７では、マーク７ｍが選択され、この選択されたマーク７ｍに対応する項目の警告メッセージが、このマーク７ｍを指し示すツールチップ８ｍ内に表示されている。
【０１２２】
なお、かかる情報カットの警告情報には、少なくとも項目の情報カットが実施された旨を明示するメッセージが含まれていればよいが、その他に、機能に関する警告メッセージ、データ管理上の注意を促すメッセージ、表示不可の項目の文字データがある旨を示すメッセージ、画像表示装置４が保有するソフトウェアのバージョンアップの推奨を勧めるメッセージ等が含まれてもよい。この場合、かかる情報カットの警告情報として、例えば「このレポートは、新バージョンのソフトウェアで作成しています。ある機能は有効でないかもしれません。テキストデータがカットされているので、情報の欠落がデータセーブ前に発生するかもしれません。ソフトウェアのバージョンアップをお勧めします。」等の記載内容のものが表示されてもよい。
【０１２３】
また、上述したレポート準備画面の中からユーザによって選択されたサムネイル画像またはサムネイル画像グループのコメントカットまたはラベルカットが実施されていた場合、表示部１３ａは、図１８に示すように、該当するサムネイル画像またはサムネイル画像グループの近傍に警告のマーク７ａ，７ｐを表示してもよい。また、一部がカットされたコメントまたはラベルがコメント入力領域１１４内に表示された場合、表示部１３ａは、このコメント入力領域１１４内に警告のマーク７ｑを表示してもよい。一方、上述したレポート作成画面の中からユーザによって選択されたサムネイル画像のコメントカットまたはラベルカットが実施されていた場合、表示部１３ａは、図１９に示すように、該当するサムネイル画像の近傍に警告のマーク７ｒを表示してもよい。さらに、表示部１３ａは、上述したような各種警告メッセージを一つのダイアログ内に纏めて表示してもよい。
【０１２４】
上述したステップＳ４４の処理手順を実行後、制御部１７は、レポート作成画面からレポート準備画面に戻るか否かを判断する（ステップＳ４５）。なお、制御部１７は、上述したステップＳ４３において記憶領域Ｃがオン状態ではない場合、処理対象のレポートデータ１４ｂ内における項目の情報カットの記憶なしと判断し（ステップＳ４３，Ｎｏ）、上述したステップＳ４４の処理手順を実行せずに、ステップＳ４５に進む。
【０１２５】
このステップＳ４５において、制御部１７は、入力部１２によってレポート準備画面への戻りを指示する戻り指示情報が入力された場合、この入力された戻り指示情報に基づいてレポート作成画面からレポート準備画面に戻ると判断する（ステップＳ４５，Ｙｅｓ）。この場合、制御部１７は、上述したステップＳ３１に戻り、このステップＳ３１以降の処理手順を繰り返す。なお、かかる戻り指示情報は、レポート作成準備への戻るボタンを選択する等のユーザによる入力部１２の操作に対応して制御部１７に入力される。
【０１２６】
一方、制御部１７は、ステップＳ４５において戻り指示情報が入力されなかった場合、レポート作成画面からレポート準備画面へ戻らないと判断し（ステップＳ４５，Ｎｏ）、ユーザによって終了ボタンが押されたか否かを判断する（ステップＳ４６）。このステップＳ４６において、制御部１７は、入力部１２によって処理終了を指示する終了指示情報が入力された場合、この入力された終了指示情報に基づき、終了ボタンが押されたと判断し（ステップＳ４６，Ｙｅｓ）、アプリケーションを終了する。一方、制御部１７は、ステップＳ４６において終了指示情報が入力されない場合、終了ボタンが押されていないと判断し（ステップＳ４６，Ｎｏ）、ステップＳ４５に戻り、このステップＳ４５以降の処理手順を繰り返す。
【０１２７】
なお、上述した実施の形態では、被検体内情報の一例として体内画像を例示したが、これに限らず、被検体内情報は、被検体の体内温度や体内ｐＨ値等の情報であってもよい。すなわち、被検体内に導入されるカプセル型内視鏡２は、体内画像を撮像するものに限らず、被検体内の温度またはｐＨ値等の情報を取得するものであってもよい。
【０１２８】
また、上述した実施の形態では、画像表示装置にログインしたユーザの権限に応じて被検体の検査データのバージョン更新を許可または禁止していたが、これに限らず、画像表示装置にログインしたユーザの権限に応じて被検体のレポートデータのバージョン更新を許可または禁止してもよい。
【０１２９】
さらに、上述した実施の形態では、着脱可能に挿着された記録媒体の保存データを取り込んで被検体に関するデータ（検査データ、レポートデータ等）を取得するデータ入出力部１１を例示していたが、これに限らず、本発明にかかる画像表示装置のデータ入出力部は、通信ネットワーク等に接続され、外部装置または外部のデータベース等から被検体に関するデータを取得するものであってもよい。
【０１３０】
また、上述した実施の形態では、処理対象のデータのバージョンと処理機能のソフトウェアバージョンとが一致しない旨等の警告情報を画面表示またはプリント出力していたが、これに限らず、かかる警告情報を音声等によって音出力してもよいし、かかる警告情報の表示出力と音出力とを組み合わせてもよい。
【０１３１】
以上、説明したように、本発明の実施の形態にかかる画像表示装置は、被検体に関するデータのバージョンを検出し、この検出したバージョンと処理機能のソフトウェアバージョンとを比較して両者が一致するか否かを判断し、かかるバージョンの一致または不一致に応じて処理対象のデータの取り扱いを制御するとともに、この処理対象のデータのバージョンと処理機能のソフトウェアバージョンとが一致しない旨の警告情報を出力するように構成している。このため、被検体のレポートにおける情報の欠落または情報の不整合が生じていることを医療従事者等のユーザに報知して、被検体に関するデータに互換性による影響があることをユーザに知らせることができる。これによって、被検体のレポート作成に用いるデータに関する注意をユーザに促すことができ、この結果、たとえ処理機能のソフトウェアバージョンと被検体のレポートに用いるデータのバージョンとが異なる場合であっても、被検体の診察処理およびレポート作成を円滑に行うことができる。
【図面の簡単な説明】
【０１３２】
【図１】本発明の実施の形態にかかる被検体内情報取得システムの一構成例を示す模式図である。
【図２】本発明にかかる画像表示装置の一表示態様を示す模式図である。
【図３】本発明の実施の形態にかかる画像表示装置の一構成例を模式的に示すブロック図である。
【図４】検査データに埋め込まれたバージョン情報の最初の２バイトを例示する模式図である。
【図５】検査データに埋め込まれたバージョン情報の３バイト目を例示する模式図である。
【図６】レポートデータのバージョン情報の一例を示す模式図である。
【図７】検査データに対して実施された画像処理のバージョン情報の一具体例を示す模式図である。
【図８】被検体の検査データおよびレポートデータを読み込んだ際の画像表示装置の処理手順を例示するフローチャートである。
【図９】ＸＭＬ形式によって格納されたレポートデータの一部を例示する模式図である。
【図１０】被検体の検査データ内の画像データを表示する際の画像表示装置の処理手順を例示するフローチャートである。
【図１１】被検体のレポートデータを処理する際の画像表示装置の処理手順を例示するフローチャートである。
【図１２】画像表示装置に表示されるレポート準備画面の一具体例を示す模式図である。
【図１３】レポート準備画面に警告情報を表示した状態を例示する模式図である。
【図１４】画像表示装置に表示されるレポート作成画面の一具体例を示す模式図である。
【図１５】レポート作成画面の別態様を例示する模式図である。
【図１６】レポート作成画面に警告情報を表示した状態の一例を示す模式図である。
【図１７】レポート作成画面に警告情報を表示した状態の別例を示す模式図である。
【図１８】レポート準備画面内の画像近傍に警告情報を表示した状態を例示する模式図である。
【図１９】レポート作成画面内の画像近傍に警告情報を表示した状態を例示する模式図である。
【符号の説明】
【０１３３】
１  被検体
２  カプセル型内視鏡
３  受信装置
３ａ〜３ｈ  受信アンテナ
４  画像表示装置
５  記憶媒体
７ａ〜７ｋ，７ｍ，７ｎ，７ｐ，７ｑ，７ｒ  マーク
８ａ，８ｈ，８ｍ  ツールチップ
１１  データ入出力部
１２  入力部
１３  出力部
１３ａ  表示部
１３ｂ  プリンタ
１４  データ記憶部
１４ａ  検査データ
１４ｂ  レポートデータ
１５  処理記憶部
１５ａ  検査データ記憶領域
１５ｂ  残領域
１５ｃ，１５ｄ  レポートデータ記憶領域
１６  バージョン検出部
１７  制御部
１７ａ  レジストリ
１７ｂ  コンバート処理部
１７ｃ  画像処理部
１７ｄ  レポート処理部
１０１  主表示領域
１０２  副表示領域
１０３  タイムバー
１０４  スライダ
１０５  表示操作アイコン群
１１１  サムネイル画像表示領域
１１２  画像グループ表示領域
１１３  画像表示領域
１１４  コメント入力領域
Ａ〜Ｆ  記憶領域
Ｗ１〜Ｗ４  ウィンドウ
【図１】
0005265285.tif 000002
【図２】
0005265285.tif 000003
【図３】
0005265285.tif 000004
【図４】
0005265285.tif 000005
【図５】
0005265285.tif 000006
【図６】
0005265285.tif 000007
【図７】
0005265285.tif 000008
【図８】
0005265285.tif 000009
【図９】
0005265285.tif 000010
【図１０】
0005265285.tif 000011
【図１１】
0005265285.tif 000012
【図１２】
0005265285.tif 000013
【図１３】
0005265285.tif 000014
【図１４】
0005265285.tif 000015
【図１５】
0005265285.tif 000016
【図１６】
0005265285.tif 000017
【図１７】
0005265285.tif 000018
【図１８】
0005265285.tif 000019
【図１９】
0005265285.tif 000020